(57)【要約】【課題】電子製品が垂直配置であるか又は水平配置であるかを識別する装置と方法を提供する。【解決手段】電子製品が垂直配置であるか又は水平配置であるかを識別する装置は、制限台座、片持ちレバー、カウンタウエイトと、センサ装置とを備え、当該センサ装置は当該片持ちレバーの湾曲形状の変化を回路状態に変換するために使用される。当該片持ちレバーには制限台座も設けられているため、当該回路状態に基づき当該制限台座は当該重力方向と垂直であるか又は当該重力方向と平行であるかを判断することが可能である。【選択図】図４
2005197201.tif 000002
【特許請求の範囲】
【請求項１】
制限台座と、
当該制限台座とアンカーで相互に接続している固定支持台座と、
当該制限台座と平行であり、一端が当該固定支持台座と相互に接続している片持ちレバーと、
当該片持ちレバーに設置されているカウンタウエイトと、
当該片持ちレバーの湾曲形状の変化を回路状態に変換するセンサ装置と、
を備え、
当該制限台座が重力方向と垂直であり、かつ当該重力方向が当該片持ちレバーから当該制限台座までの仮想方向と同一方向である場合、当該回路状態は第一状態であり、当該制限台座が重力方向と平行である場合、当該回路状態は第二状態であるとすることを特徴とする電子製品の垂直配置又は水平配置を識別する装置。
【請求項２】
更に、当該センサ装置には、当該片持ちレバーに接続しているピエゾ抵抗が含まれ、当該ピエゾ抵抗は無圧力状態に位置している場合には初期抵抗値に対応しており、当該第一状態とは当該ピエゾ抵抗の抵抗値と当該初期抵抗値との差が抵抗臨界数値差を上回っていることを指しており、当該第二状態とは当該ピエゾ抵抗の抵抗値と当該初期抵抗値との差が当該抵抗臨界数値差と等しいか又はそれを下回っていることを指していることを特徴とする請求項１記載の電子製品の垂直配置又は水平配置を識別する装置。
【請求項３】
更に、当該センサ装置には、
当該制限台座に対向する側に位置しており、当該片持ちレバーに接続している第一導体と、当該片持ちレバーに対向する側に位置しており、当該制限台座に接続している第二導体とが含まれ、
当該第一状態とは当該第一導体と当該第二導体とが電気的に接触していることを指しており、当該第二状態とは当該第一導体と当該第二導体とが電気的に接触していないことを指していることを特徴とする請求項１記載の電子製品の垂直配置又は水平配置を識別する装置。
【請求項４】
更に、当該センサ装置には、当該制限台座に対向する側に位置しており、当該片持ちレバーに接続している第一導体と、当該片持ちレバーに対向する側に位置しており、当該制限台座に接続している第二導体とが含まれ、
当該第一導体と当該第二導体とは導電材料であり、当該第一状態とは当該第一導体と当該第二導体との間の電気容量値が電気容量判断値を上回っていることを指しており、当該第二状態とは当該第一導体と当該第二導体との間の電気容量値が当該電気容量判断値と等しいか又はそれを下回っていることを指していることを特徴とする請求項１記載の電子製品の垂直配置又は水平配置を識別する装置。
【請求項５】
基板と、
当該基板上に形成されており、当該基板とアンカーで相互に接続している固定支持台座及び当該基板と平行であるとともに一端が当該固定支持台座と一体成形されている片持ちレバーを有する片持ちレバーモジュールと、
当該片持ちレバーに設置されているカウンタウエイトと、
当該片持ちレバーの湾曲形状の変化を回路状態に変換するセンサ装置と、を備え、
当該基板が重力方向と垂直であり、かつ当該重力方向が当該片持ちレバーから当該基板までの仮想方向と同一方向である場合、当該回路状態は第一状態であり、当該基板が重力方向と平行である場合、当該回路状態は第二状態であるとすることを特徴とする電子製品の垂直配置又は水平配置を識別可能なチップ。
【請求項６】
更に、当該センサ装置には当該片持ちレバーに接続しているピエゾ抵抗が含まれ、当該ピエゾ抵抗は無圧力状態に位置している場合には初期抵抗値に対応しており、当該第一状態とは当該ピエゾ抵抗の抵抗値と当該初期抵抗値との差が抵抗臨界数値差を上回っていることを指しており、当該第二状態とは当該ピエゾ抵抗の抵抗値と当該初期抵抗値との差が当該抵抗臨界数値差と等しいか又はそれを下回っていることを指していることを特徴とする請求項５記載の電子製品の垂直配置又は水平配置を識別可能なチップ。
【請求項７】
更に、当該センサ装置には、
当該基板に対向する側に位置しており、当該片持ちレバーに接続している第一導体と、当該片持ちレバーに対向する側に位置しており、当該基板に接続している第二導体とが含まれ、
当該第一状態とは当該第一導体と当該第二導体とが電気的に接触していることを指しており、
当該第二状態とは当該第一導体と当該第二導体とが電気的に接触していないことを指していることを特徴とする、請求項５記載の電子製品は垂直配置であるか又は水平配置であるかを識別可能なチップ。
【請求項８】
更に、当該センサ装置には、
当該基板に対向する側に位置しており、当該片持ちレバーに接続している第一導体と、
当該片持ちレバーに対向する側に位置しており、当該基板に接続している第二導体と、が含まれ、
当該第一導体と当該第二導体とは導電材料であり、当該第一状態とは当該第一導体と当該第二導体との間の電気容量値が電気容量判断値を上回っていることを指しており、当該第二状態とは当該第一導体と当該第二導体との間の電気容量値が当該電気容量判断値と等しいか又はそれを下回っていることを指していることを特徴とする請求項５記載の電子製品の垂直配置又は水平配置を識別可能なチップ。
【請求項９】
センサ装置を利用し、制限台座を有する片持ちレバー装置の湾曲形状の変化を回路状態に変換する、電子製品の垂直配置又は水平配置を識別する方法であり、
当該回路状態が第一状態である場合には、当該制限台座は当該重力方向と垂直であると判断され、
当該回路状態が第二状態である場合には、当該制限台座は当該重力方向と平行であると判断され、
当該片持ちレバー装置には、更に、
当該制限台座とアンカーで相互に接続している固定支持台座と、
当該制限台座と平行であり、その一端が当該固定支持台座と相互に接続している片持ちレバーと、
当該片持ちレバーに設置されているカウンタウエイトと、が備わっていることを特徴とする電子製品の垂直配置又は水平配置を識別する方法。
【請求項１０】
更に、当該センサ装置には当該片持ちレバーに接続しているピエゾ抵抗が含まれ、当該ピエゾ抵抗は無圧力状態に位置している場合には初期抵抗値に対応しており、当該第一状態とは当該ピエゾ抵抗の抵抗値と当該初期抵抗値との差が抵抗臨界数値差を上回っていることを指しており、当該第二状態とは当該ピエゾ抵抗の抵抗値と当該初期抵抗値との差が当該抵抗臨界数値差と等しいか又はそれを下回っていることを指していることを特徴とする請求項９記載の電子製品の垂直配置又は水平配置を識別する方法。
【請求項１１】
更に、当該センサ装置には、
当該制限台座に対向する側に位置しており、当該片持ちレバーに接続している第一導体と、
当該片持ちレバーに対向する側に位置しており、当該制限台座に接続している第二導体と、が含まれ、
当該第一状態とは当該第一導体と当該第二導体とが電気的に接触していることを指しており、当該第二状態とは当該第一導体と当該第二導体とが電気的に接触していないことを指していることを特徴とする請求項９記載の電子製品の垂直配置又は水平配置を識別する方法。
【請求項１２】
更に、当該センサ装置には、
当該制限台座に対向する側に位置しており、当該片持ちレバーに接続している第一導体と、
当該片持ちレバーに対向する側に位置しており、当該制限台座に接続している第二導体と、が含まれ、
当該第一導体と当該第二導体とは導電材料であり、当該第一状態とは当該第一導体と当該第二導体との間の電気容量値が電気容量判断値を上回っていることを指しており、当該第二状態とは当該第一導体と当該第二導体との間の電気容量値が当該電気容量判断値と等しいか又はそれを下回っていることを指していることを特徴とする請求項９記載の電子製品の垂直配置又は水平配置を識別する方法。
【発明の詳細な説明】
【技術分野】
【０００１】
本発明は、重力方向を識別する装置と方法に関するものであり、特に電子製品が垂直配置であるか水平配置であるかを識別する装置と方法に関するものである。
【背景技術】
【０００２】
コンピュータ技術の進歩とマルチメディアの多方面への普及に伴い、利用者の高容量で低コストである記憶装置への需要も益々高まっている。そのうち、光ディスク記憶媒体にはデータ保存期限が長く、記憶媒体の携帯と交換は便利であるなどの特徴が備わっているため、データのバックアップ、マルチメディア放送やデータ交換の主な記憶媒体となっている。現在、デスクトップ型パソコンやノートブック型パソコンにおいて、光ディスクプレーヤはすでに標準装備となり、多くの情報が光ディスクの形式で販売又はバックアップされており、場合によっては、マイクロプロセッサを有する中核的な計器や電器製品においても光ディスクが重要な役割を担っている。
【０００３】
従来、光ディスクプレーヤは、ほとんど水平方式で電子装置内に組み込まれていたが、近年は、光ディスクプレーヤを含む各種電子装置は、その用途と外観設計上の配慮により、光ディスクプレーヤを垂直方式で組み込むことが恒常的に必要とされている。光ディスクプレーヤが水平に配置されている場合、その光ディスクの回転平面は鉛直線とほぼ垂直であるが、光ディスクプレーヤが垂直に配置されている場合、その光ディスクの回転平面は鉛直線と平行である。この配置位置上の違いにより、重力は配置位置が異なっている際には主軸モータと光ディスクに対して異なる影響を及ぼしている。光ディスクプレーヤの性能を最適化するため、往々にして水平配置方式と垂直配置方式ごとに、それぞれ対応して異なる主軸モータ自動バランスシステム（Ａｕｔｏ  Ｂａｌａｎｃｅ  Ｓｙｓｔｅｍ、略称ＡＢＳ）が設計されるか、又は異なるＡＢＳパラメータを運用して光ディスクの回転時のバランスを維持することにより、光ディスクプレーヤの読取り・書込み時の振動を最低状態とするとともに、読取り・書込みヘッドの光ディスクのデータへのアクセスとトラック・シーク時の安定性を増進させている。事実上、多くのその他電子装置においては、その設置位置と重力方向との関係を把握することにより、その性能を最適化することが可能であり、また適当なユーザインターフェイスに切換えること、例えば９０度回転させることにより、横式表示又は縦式表示の液晶ディスプレイを切換えることなどが実施されている。
【０００４】
電子製品は垂直方式又は水平方式の配置であるかを判断するため、光ディスクプレーヤを例に挙げると、公知の技術では光ディスクを読み取る際に読取り・書込みヘッドが受信する信号強度に基づき、重力の影響により、読取り・書込みヘッドには光ディスクプレーヤの配置方式の違いに応じて異なる変位量が備わっているため、読取り・書込みヘッドの収束状態を演算することにより、当該時に光ディスクプレーヤは垂直配置であるか水平配置であるかを判断している。しかし、この公知の方式では、より多くの論理判断と演算ソースを消費しなければならない。また、例えば判断に供すべき読取り・書込みヘッド信号が備わっていない電子装置では、往々にして同時に比較的複雑な機械構造と電子スイッチエレメントを配置しなければならないか、又は所定外に専用のセンサを追加して重力方向を検出しなければならない。そのため、システム全体としての複雑度は大幅に上昇している。
【発明の開示】
【発明が解決しようとする課題】
【０００５】
従って、本発明は、簡単な構成により、システム全体としての複雑度を無くして安価にして、電子製品が垂直配置であるか水平配置であるかを識別する装置と方法を提供することを目的とする。
【課題を解決するための手段】
【０００６】
本発明は、電子製品が垂直配置であるか水平配置であるかを識別する方法であり、当該方法ではセンサ装置を利用し、片持ちレバーの湾曲形状の変化が回路状態に変換され、当該片持ちレバーには制限台座が備わっているため、当該回路状態に基づき当該制限台座は重力方向と垂直であるか又は重力方向と平行であるかが判断される。
【０００７】
別の面において、本発明は、電子製品が垂直配置であるか水平配置であるかを識別する装置であり、本発明に基づく識別方法の実現のために使用される。それには制限台座と、片持ちレバーと、カウンタウエイトと、センサ装置とが備わり、当該センサ装置により当該片持ちレバーの湾曲形状の変化は回路状態に変換される。
【０００８】
この他、近年の電子製品内は、往々にして集積回路に大幅に依拠するとともにそれを使用している点を考慮し、本発明では電子製品に垂直配置であるか又は水平配置であるかを識別可能なチップも提出されており、マイクロ機電設計原理を活用して本発明に基づく片持ちレバー装置が集積回路内に組み込まれる。
【０００９】
本発明の特徴と技術的内容をより詳細に理解するため、本発明関連の詳細な説明と添付図を参照頂きたい。但し、添付図は参考並びに説明用に過ぎず、それが本発明を制限するものではないことは言うまでもない。
【発明の効果】
【００１０】
本発明は、電子製品が垂直配置であるか水平配置であるかを識別する装置であり、この装置を、例えば光検出器又はレーザダイオードのチップ中に組み込むことにより、現状の光ディスクプレーヤは垂直又は水平配置方式であるかを検出することが可能となる。また、本発明の識別する方法では、例えば光ディスクプレーヤの起動時に限って１回実行するとともにそれを記録することが可能であり、光ディスクプレーヤの使用中に随時その状態を更新することも可能である。
【発明を実施するための最良の形態】
【００１１】
図１から、そこに示されているのは片持ちレバー（Ｃａｎｔｉｌｅｖｅｒ）モジュールを有する装置であり、それには、制限台座（Ｃｏｎｓｔｒａｉｎｔ  Ｂａｓｅ）１０４と、固定支持台座（Ｆｉｘ  Ｓｕｐｐｏｒｔ）１０２と、当該制限台座１０４とアンカー（Ａｎｃｈｏｒ）で相互に接続しており、当該制限台座１０４と平行であるとともに、一端が当該固定支持台座１０２と相互に接続している片持ちレバー１０６と、当該片持ちレバー１０６の別の一端に設置されているカウンタウエイト（ｍａｓｓ）１０８とが備わっている。装置全体は、重力が当該カウンタウエイト１０８と片持ちレバー１０６に対して付加する重量を片持ちレバー１０６の湾曲形状の変化に変換する。図１中に示されている当該装置は、同時に後続の図２及び図３に示されている装置の基本構造を説明するために使用されるが、説明を簡略化するため、図では一部細目が省略されている。しかしその省略部分と原理については公知であり、当該領域の技術者であれば容易に推察可能である。
【００１２】
図２から、そこに示されているのは水平方式で設置されており、片持ちレバーモジュールを有する装置であり、当該装置は電子製品内に設置され、当該電子製品は垂直配置であるか水平配置であるかを識別する。図中における当該装置の水平方向は当該電子製品の水平方向と同一である。図１を同時に参照すると、図２に示されている装置にも制限台座２０４と、固定支持台座２０２と、当該制限台座２０４とアンカーで相互に接続しており、当該制限台座２０４と平行であるとともに、その一端が当該固定支持台座２０２と相互に接続している片持ちレバー２０６と、当該片持ちレバー２０６の別の一端に設置されているカウンタウエイト２０８とが備わっており、前記と同様、説明を簡略化するために、図中の一部細目はすでに省略されている。また、当該図中には電気的接点（Ｅｌｅｃｔｒｉｃａｌ  Ｃｏｎｔａｃｔ）２１０も含まれており、当該片持ちレバー２０６の湾曲形状の変化状態を検出する。例を挙げると、図２に示されている通り、当該片持ちレバー２０６の湾曲形状の変化状態がすでに当該片持ちレバー２０６の末端（つまりカウンタウエイト２０８が備わっている一端）が当該電気的接点２１０に接触するまでになっていると、当該装置の回路状態は第一状態として示される。例えば電気的接触状態、又は短絡状態である。当該片持ちレバー２０６の末端（つまりカウンタウエイト２０８が備わっている一端）が当該電気的接点２１０と接触していないと、当該装置の回路状態は第二状態として示される。当該カウンタウエイト２０８の重量、当該片持ちレバー２０６の材料、又は当該片持ちレバー２０６の幾何学的断面を適当に調整すると、当該電子製品が水平方式で設置されている際に、当該片持ちレバー２０６の湾曲形状の変化状態を当該片持ちレバー２０６の末端（つまりカウンタウエイト２０８が備わっている一端）が当該電気的接点２１０と確実に接触するようにすることが可能であり、その際に示されるのが第一状態であり、当該電子製品は水平に設置されていることの根拠とすることが可能となる。
【００１３】
次に、図３から、そこに示されているのは垂直方式で設置されており、片持ちレバーモジュールを有する装置であり、当該装置は図２に示されている装置と同様であるが、その際、当該電子製品は垂直方式で配置されているため、図３内に示されている装置も垂直方式で設置されている。前記の通り、当該装置には制限台座３０４、固定支持台座３０２、片持ちレバー３０６とカウンタウエイト３０８とが備わっている。しかし、その際、当該カウンタウエイト３０８が受ける重力方向は図２の記述とは異なり、片持ちレバー３０６はその際に座屈柱としての物理的状態を示すため、当該カウンタウエイト３０８の重量、当該片持ちレバー３０６の材料、又は当該片持ちレバー３０６の幾何学的断面を適当に調整すると、当該電子製品が垂直方式で設置されている際に、当該片持ちレバー３０６の湾曲形状の変化状態を当該片持ちレバー３０６の末端（つまりカウンタウエイト３０８が備わっている一端）が当該電気的接点３１０と接触しないようにすることが可能であり、上記の記述を参考とすると、その際に示されるのが第二状態であり、当該電子製品は垂直に設置されていることの根拠とすることができる。
【００１４】
更に述べると、上記の電子製品は垂直配置であるか水平配置であるかを識別する装置において、当該電気的接点２１０の役割は、センサ装置として、当該片持ちレバー２０６の湾曲形状の変化を回路状態に変換することであり、当該制限台座が重力方向と垂直であり、かつ当該重力方向が当該片持ちレバーから当該制限台座までの仮想方向と同一方向である場合、当該回路状態は第一状態であり、当該制限台座が重力方向と平行である場合、当該回路状態は第二状態である。更に詳細に説明すると、当該センサ装置には当該片持ちレバー２０６に接続しているとともに、当該制限台座に対向する側に位置する第一導体（図示せず）と、当該制限台座２０４に接続しているとともに、当該片持ちレバー２０６に対向する側に位置する第二導体（つまり前記の当該電気的接点２１０）を備えることが可能であり、当該第一状態とは当該第一導体と当該第二導体とが電気的に接触していることを指しており、当該第二状態とは当該第一導体と当該第二導体とが電気的に接触していないことを指している。
【００１５】
事実上、現在、大部分の電子製品すべてには少なくとも集積回路チップが備わっているため、マイクロ機電プロセスを利用して図２と図３に示されている構造を集積回路チップ内に組み込むことを考慮することが可能である。図４によれば、そこに示されているのは本発明に基づく電子製品は垂直配置であるか水平配置であるかの識別装置であり、それには基板４０２が含まれ、その機能は図１に示されている制限台座１０４に類似しており、併せて集積回路とマイクロ機電装置とが提供されており、半導体製造工程により当該基板４０２上に形成されている。また片持ちレバーモジュール４１０が当該基板上に形成されており、それには更に固定支持台座４１４と片持ちレバー４１２とが含まれ、当該固定支持台座４１４と当該基板４０２とはアンカー４０４で相互に接続しており、当該片持ちレバー４１２は当該基板４０２と平行であり、その一端は当該固定支持台座４１４と一体成形されている。また、当該片持ちレバー４１２の別の一端にはカウンタウエイト４２０が設置されており、当該片持ちレバーモジュール４１０は当該カウンタウエイト４２０の作用に対応して、重力が当該カウンタウエイト４２０と片持ちレバー４１２に対して付加する重量を片持ちレバー４１２の湾曲形状の変化に変換する。
【００１６】
前記の通り、図４に示されている電子製品は垂直配置であるか水平配置であるかの識別装置は当該片持ちレバー４１２設置の垂直又は水平状態に基づき、当該片持ちレバー４１２に対して異なる程度の湾曲形状の変化をもたらし、その際にはセンサ装置も設置されており、当該片持ちレバーの湾曲形状の変化を回路状態に変換することにより、当該識別装置の水平又は垂直状態を電子信号方式で出力しなければならない。併せて当該基板４０２が重力方向と垂直であり、かつ当該重力方向が当該片持ちレバー４１２から当該基板４０２までの仮想方向と同一方向であると定義された場合、当該回路状態は第一状態であり、当該基板４０２が重力方向と平行である場合、当該回路状態は第二状態である。図４に示されている実施例において、当該センサ装置とは第一導体４３２と第二導体４３４とを指しており、当該第一導体４３２は当該片持ちレバー４１２に接続しているとともに、当該基板４０２に対向する側に位置しており、当該第二導体４３４は当該基板４０２に接続しているとともに、当該片持ちレバー４１２に対向する側に位置している。従って、前記の当該第一状態とは当該第一導体と当該第二導体とが電気的に接触していることを指しており、当該第二状態とは当該第一導体と当該第二導体とが電気的に接触していないことを指している。
【００１７】
図５から、図に示されているのは本発明に基づく別の実施例であり、図４の内容と類似している。図５はマイクロ機電プロセスを利用して図２と図３に示されている構造を集積回路チップ内に組み込んだ場合について説明している。それには基板５０２と、片持ちレバーモジュール５１０とが備わり、当該モジュールには更に固定支持台座５１４と片持ちレバー５１２とが備わり、当該固定支持台座５１４と当該基板５０２とはアンカー５０４で相互に接続しており、当該片持ちレバー５１２の別の一端にはカウンタウエイト５２０とセンサ装置とが設置されている。当該片持ちレバーモジュール５１０の作動方式は図４に示されている方式と類似しており、当該センサ装置には、第一導体５３２と第二導体５３４とが備わり、当該第一導体と当該第二状態とは導電材料であり、電気容量値の変化を検出することにより、当該片持ちレバー５１２の湾曲形状の変化状態を検出することが可能となる。例を挙げると、前記の当該第一状態とは当該第一導体と当該第二導体との間の電気容量値が電気容量判断値を上回っていることを指しており、当該第二状態とは当該第一導体と当該第二導体との間の電気容量値が当該電気容量判断値と等しいか又はそれを下回っていることを指している。
【００１８】
図６から、図に示されているのは本発明に基づく更に別の実施例であり、図４及び図５の内容と類似している。図６はマイクロ機電プロセスを利用して図２と図３に示されている構造を集積回路チップ内に組み込んだ場合について説明している。それには基板６０２と、片持ちレバーモジュール６１０とが備わり、当該モジュールには更に固定支持台座６１４と片持ちレバー６１２とが備わり、当該固定支持台座６１４と当該基板６０２とはアンカー６０４で相互に接続しており、当該片持ちレバー６１２の別の一端にはカウンタウエイト６２０とセンサ装置とが設置されている。当該片持ちレバーモジュール６１０の作動方式は図４に示されている方式と類似している。当該センサ装置について、当該センサ装置には当該片持ちレバー６１２に接続しているピエゾ抵抗（Ｐｉｅｚｏ−ｒｅｓｉｓｔｏｒ）６３０が備わり、当該ピエゾ抵抗６３０については、当該片持ちレバー６１２の湾曲形状の変化によりその圧力の改変がもたらされ、当該ピエゾ抵抗６３０の抵抗値の改変が引き起こされるため、当該ピエゾ抵抗６３０の抵抗値を検出することにより、当該片持ちレバー６１２の湾曲形状の変化状態を検出することが可能となる。例を挙げると、当該ピエゾ抵抗６３０が無圧力状態に位置している場合には初期抵抗値に対応しており、前記の当該第一状態とは当該ピエゾ抵抗の抵抗値と当該初期抵抗値との差が抵抗臨界数値差を上回っていることを指しており、当該第二状態とは当該ピエゾ抵抗の抵抗値と当該初期抵抗値との差が当該抵抗臨界数値差と等しいか又はそれを下回っていることを指している。
【００１９】
光ディスクプレーヤを例とすると、図７から、そこに示されているのは光ディスクプレーヤの読取り・書込みヘッドと光ディスクとの相対的位置についての見取図である。一般的に述べると、光ディスクプレーヤの読取り・書込みヘッド７００中には少なくともレンズユニット７０２と、レーザダイオード（Ｌａｓｅｒ  Ｄｉｏｄｅ）７０８と、分光器（Ｂｅａｍ  ｓｐｌｉｔｔｅｒ）７０４と、光検出器（Ｐｈｏｔｏ  Ｄｅｔｅｃｔｏｒ）７０６とが備わり、当該レーザダイオード７０８が発射したレーザビームは、当該分光器７０４と当該レンズユニット７０２とを経由して光ディスク７２０上に収束され、当該光ディスク７２０上で反射されたレーザビームは改めて当該レンズユニット７０２を経由するとともに、当該分光器７０４を透過し、その後、改めて当該光検出器７０６により反射されたレーザビームが捕捉される。一般に、光ディスクプレーヤ内において、当該光検出器７０６と当該レーザダイオード７０８とは、一般にはともに集積回路チップ方式で製作されており、光学経路設計上の理由により、前記の当該光検出器７０６又は当該レーザダイオード７０８は光ディスク７２０の回転平面と水平又は垂直な方式で設置されているため、図４から図６に示されている電子製品は垂直配置であるか水平配置であるかの識別装置を当該光検出器７０６又は当該レーザダイオード７０８のチップ中に組み込むことにより、現状の光ディスクプレーヤは垂直又は水平配置方式であるかを検出することが可能となる。また、一般に光ディスクプレーヤには少なくとも回路板が備わっており、当該回路板は一般に光ディスクプレーヤの水平方向と並行であり、当該回路板内には少なくとも集積回路チップ、例えばマイクロ制御器（Ｍｉｃｒｏ  Ｃｏｎｔｒｏｌｌｉｎｇ  Ｕｎｉｔ）又はその他の例えば電源制御チップなどが含まれているため、図４から図６に示されている電子製品は垂直配置であるか水平配置であるかの識別装置を当該回路板上の集積回路チップ、例えば前記のマイクロ制御器（Ｍｉｃｒｏ  Ｃｏｎｔｒｏｌｌｉｎｇ  Ｕｎｉｔ）又はその他の例えば電源制御チップなどに組み込むことも可能である。
【００２０】
図８から、そこに示されているのは流れ図であり、本発明に基づき電子製品は垂直配置であるか水平配置であるかを識別する方法の流れについて説明されている。当該方法には本発明に基づく識別装置が利用されており、それには片持ちレバー装置の湾曲形状の変化を回路状態に変換するためのセンサ装置が備わり、当該片持ちレバー装置には制限台座が含まれている。前記の通り、一般に電子装置内には少なくとも回路板が含まれており、当該回路板は一般に当該電子装置の主要な水平方向と平行であるため、例えば光ディスクプレーヤを例に挙げると、先ず手順８０２においてセンサ装置の回路状態が検出され、次に手順８０４において当該回路状態が第一状態であるかどうかが判断され、「ＹＥＳ」の場合には手順８０６に進んで、当該光ディスクプレーヤは水平方式の配置であると判断され、「ＮＯ」の場合には、手順８０８に進んで、当該光ディスクプレーヤは垂直方式の配置であると判断される。本発明に基づき電子製品は垂直配置であるか水平配置であるかを識別する方法では、光ディスクプレーヤの起動時に限って１回実行するとともにそれを記録することが可能であり、光ディスクプレーヤの使用中に随時その状態を更新することも可能である。
【００２１】
本発明については好ましい実施例として上記の通り公開されているが、それは本発明を制限するものではなく、当該技術に習熟している技術者であれば、本発明の精神と範囲を逸脱することなく、各種の変更と装飾を加えることが可能である。そのため、本発明の保護範囲については特許請求の範囲をその基準とすべきであることは言うまでもない。
【図面の簡単な説明】
【００２２】
【図１】片持ちレバーモジュールを含む装置について説明されている見取図である。
【図２】水平方式で設置されており、片持ちレバーを含む装置について説明されている見取図である。
【図３】垂直方式で設置されており、片持ちレバーを含む装置について説明されている見取図である。
【図４】本発明に基づく実施例について説明されており、電子製品は垂直配置であるか又は水平配置であるかを識別する装置が示されている側面図である。
【図５】本発明に基づく別の実施例について説明されており、電子製品は垂直配置であるか又は水平配置であるかを識別する装置が示されている側面図である。
【図６】本発明に基づく更に別の実施例について説明されており、電子製品は垂直配置であるか又は水平配置であるかを識別する装置が示されている側面図である。
【図７】光ディスクプレーヤの読取り・書込みヘッドと光ディスクとの相対的位置について説明されている見取図である。
【図８】本発明に基づく電子製品は垂直配置であるか又は水平配置であるかを識別する方法の流れについて説明されている流れ図である。
【符号の説明】
【００２３】
１０２  固定支持台座
１０４  制限台座
１０６  片持ちレバー
１０８  カウンタウエイト
２０２  固定支持台座
２０４  制限台座
２０６  片持ちレバー
２０８  カウンタウエイト
２１０  電気的接点
３０２  固定支持台座
３０４  制限台座
３０６  片持ちレバー
３０８  カウンタウエイト
３１０  電気的接点
４０２  基板
４０４  アンカー
４１０  片持ちレバーモジュール
４１２  片持ちレバー
４１４  固定支持台座
４２０  カウンタウエイト
４３２  第一導体
４３４  第二導体
５０２  基板
５０４  アンカー
５１０  片持ちレバーモジュール
５１２  片持ちレバー
５１４  固定支持台座
５２０  カウンタウエイト
５３２  第一導体
５３４  第二導体
６０２  基板
６０４  アンカー
６１０  片持ちレバーモジュール
６１２  片持ちレバー
６１４  固定支持台座
６２０  カウンタウエイト
６３０  ピエゾ抵抗
【図１】
2005197201.tif 000003
【図２】
2005197201.tif 000004
【図３】
2005197201.tif 000005
【図４】
2005197201.tif 000006
【図５】
2005197201.tif 000007
【図６】
2005197201.tif 000008
【図７】
2005197201.tif 000009
【図８】
2005197201.tif 000010